(57)【要約】【課題】復帰安全確認時間を最適化することが可能な遮断装置を提供すること。【解決手段】流路１と流量を計測する流量計測手段２と、流路１を遮断する遮断手段３と、流量計測手段２で求めた流量が異常と判定した場合に遮断手段３で流路を遮断する異常判定手段４と、遮断手段３による遮断を解除する復帰手段５と、復帰手段５で遮断が解除された以降、流量計測手段２で計測される流量から流量変化率を求める流量変化率演算手段６と、流量変化率演算手段６で演算された流量変化率が所定の判定値以下と判断された後、流量計測手段２で計測された流量が所定流量以上の場合、漏洩と判定し遮断手段３で流路１を遮断する漏洩判定手段７と、を備える。【選択図】図１
2018205220.tif 000002
【特許請求の範囲】
【請求項１】
被計測流体が流れる流路と、
前記流路を流れる被計測流体の流量を計測する流量計測手段と、
前記流路を遮断する遮断手段と、
前記流量計測手段で求めた流量が異常と判定した場合に前記遮断手段で流路を遮断する異常判定手段と、
前記遮断手段による遮断を解除する復帰手段と、
前記復帰手段で遮断が解除された以降、前記流量計測手段で計測される流量から流量変化率を求める流量変化率演算手段と、
前記流量変化率演算手段で演算された流量変化率が所定の判定値以下と判断された後、前記流量計測手段で計測された流量が所定流量以上の場合、漏洩と判定し前記遮断手段で前記流路を遮断する漏洩判定手段と、
を備えたガス遮断装置。
【請求項２】
前記判定値を設定する判定値設定手段を備え、
前記判定値設定手段は、前記流量計測手段で計測された流量、及び／又は前記流量変化率演算手段で演算された流量変化率により、前記判定値を設定することを特徴とする請求項１記載のガス遮断装置。
【請求項３】
前記判定値設定手段は、前記復帰手段で遮断が解除された直後の最大流量に応じて前記判定値を設定することを特徴とする請求項２に記載のガス遮断装置。
【請求項４】
前記判定値設定手段は、前記復帰手段で遮断が解除された直後の流量変化率に応じて前記判定値を設定することを特徴とする請求項２に記載のガス遮断装置。
【請求項５】
前記判定値設定手段は、前記復帰手段で遮断が解除された後、所定時間の流量変化率に応じて前記判定値を設定することを特徴とする請求項２に記載のガス遮断装置。
【請求項６】
前記判定値設定手段は、前記異常判定手段が異常判定して遮断手段で遮断した際の流量に応じて前記判定値を設定することを特徴とする請求項２に記載のガス遮断装置。
【請求項７】
前記復帰手段で遮断が解除された以降、時間を計時する計時手段を有し、
前記漏洩判定手段は、前記計時手段で所定時間が計時されるまでに前記流量変化率演算手段で演算された流量変化率が前記判定値以下とならない場合、異常と判定し前記遮断手段で前記流路を遮断することを特徴とする請求項１〜６のいずれか１項に記載のガス遮断装置。
【発明の詳細な説明】
【技術分野】
【０００１】
本発明は、ガス流量を計測し、その使用状態が安全か否かを監視するガス遮断装置に関するものである。
【背景技術】
【０００２】
従来、この種のガス遮断装置として、ガス流量を計測し、計測されたガス流量が通常の使用状態を逸脱した場合に内蔵する遮断弁によりガスを遮断した後、復帰、即ち、遮断を解除する際の漏洩確認方法が開示されている（例えば、特許文献１参照）。
【０００３】
ガスホースの外れなどにより異常な大流量で遮断した場合（合計流量遮断）や、ストーブなどのガス器具を通常の使用時間を越えて長時間使用して遮断した場合（使用時間遮断）に、ガスホースの外れを直す、或いはガス器具のコックを閉める等により遮断要因の改善を行う迄配管中の生ガスが自然と抜ける為、復帰操作により、再び遮断弁を開栓した直後は遮断弁の上流側と下流側とは圧力差があり低下した下流側配管内のガス圧力が供給圧に達するまで大流量が流れる。その後圧力が均一になると計測される流速は零或いは零近傍の値となる。
【０００４】
しかし、何らかの原因で遮断要因を改善せずにそのまま復帰操作して遮断弁を開栓すると大流量が流れた後一旦は流量零近傍の流量になるが、配管下流のガス器具の栓が開いているためガスを満たし終えると次第に流量が増加し始め、遮断直前のガス供給状態の流量にまで戻る現象が発生する。
【０００５】
特許文献１に記載の漏洩確認方法は、この現象を利用して漏洩判定を行うもので、異常を検出して遮断した後、復帰手段により遮断を解除して開栓した後、所定時間経過後の流量を検出して、この時の流量が所定以上の流量であった場合に漏洩と判断するものである。
【先行技術文献】
【特許文献】
【０００６】
【特許文献１】特開２００６−１１８７６２号公報
【発明の概要】
【発明が解決しようとする課題】
【０００７】
しかしながら、前記従来の構成では復帰後に流量を検出する所定時間が各需要家宅におけるガス遮断装置を設置時に学習させた時間で固定されているために、各需要家宅の設備変更や環境要因による配管状態の変化に対応できず、この所定時間が各需要家宅の配管状態に対して過剰となり復帰動作に余分な時間を要する課題、或いは、所定時間が各需要家宅の配管状態に対して不足し配管中をガスが満たす際に発生する流量を誤って漏洩と判定し遮断出力を生じるという課題を有していた。
【０００８】
本発明は、前記従来の課題を解決するもので、ガス遮断装置が異常を検知してガスを遮断した後、復帰操作により遮断を解除して開栓した時ガスの使用がないかのガス漏洩判定を素早く行い、ガス器具の使用状態が安全か否かを監視するガス遮断装置を提供することを目的とする。
【課題を解決するための手段】
【０００９】
前記従来の課題を解決するために、本発明のガス遮断装置は、被計測流体が流れる流路
と、前記流路を流れる被計測流体の流量を計測する流量計測手段と、前記流路を遮断する遮断手段と、前記流量計測手段で求めた流量が異常と判定した場合に前記遮断手段で流路を遮断する異常判定手段と、前記遮断手段による遮断を解除する復帰手段と、前記復帰手段で遮断が解除された以降、前記流量計測手段で計測される流量から流量変化率を求める流量変化率演算手段と、前記流量変化検出手段で演算された流量変化率が所定の判定値以下と判断された後、前記流量計測手段で計測された流量が所定流量以上の場合、漏洩と判定し前記遮断手段で前記流路を遮断する漏洩判定手段とから構成している。
【００１０】
これによって、復帰動作に余分な時間を要する課題、判定値が各需要家宅の配管状態に対して不足し配管中をガスが満たす際に発生する流量を誤って漏洩と判定して遮断するといった課題を生じることはなく、各需要家宅の設備変更や環境要因による配管状態に適した漏洩判定ができ、更に、配管に応じて漏洩判定に要する時間を最適化できるので、必要以上の時間を要せず判定でき使い勝手を向上することができる。
【発明の効果】
【００１１】
本発明のガス遮断装置によると、復帰手段から漏洩判定までの時間が、過剰もしくは不足することによる、復帰動作に余分な時間を要する課題、判定値が各需要家宅の配管状態に対して不足し配管中をガスが満たす際に発生する流量を誤って漏洩と判定して遮断するといった課題を生じることはなく、各需要家宅の設備変更や環境要因による配管状態に適した漏洩判定ができ、更に、配管に応じて漏洩判定に要する時間を最適化できるので、必要以上の時間を要せず判定でき使い勝手を向上することができる。
【図面の簡単な説明】
【００１２】
【図１】本発明の実施の形態１のガス遮断装置の制御ブロック図
【図２】流量計測手段における流量計測の原理を説明する為の図
【図３】本発明の実施の形態１における漏洩判定を説明する為のグラフ
【図４】本発明の実施の形態１における漏洩判定を説明するフローチャート
【図５】本発明の実施の形態２のガス遮断装置の制御ブロック図
【図６】本発明の実施の形態２における判定値決定方法を説明する為のグラフ
【図７】本発明の実施の形態２の他の実施例の判定値決定方法を説明する為のグラフ
【図８】本発明の実施の形態２の他の実施例の判定値決定方法を説明する為のグラフ
【発明を実施するための形態】
【００１３】
第１の発明は、被計測流体が流れる流路と、前記流路を流れる被計測流体の流量を計測する流量計測手段と、前記流路を遮断する遮断手段と、前記流量計測手段で求めた流量が異常と判定した場合に前記遮断手段で流路を遮断する異常判定手段と、前記遮断手段による遮断を解除する復帰手段と、前記復帰手段で遮断が解除された以降、前記流量計測手段で計測される流量から流量変化率を求める流量変化率演算手段と、前記流量変化率演算手段で演算された流量変化率が所定の判定値以下と判断された後、前記流量計測手段で計測された流量が所定流量以上の場合、漏洩と判定し前記遮断手段で前記流路を遮断する漏洩判定手段と、を備えたことにより、復帰手段から漏洩判定までの時間が、過剰もしくは不足することによる、復帰動作に余分な時間を要する課題、判定値が各需要家宅の配管状態に対して不足し配管中をガスが満たす際に発生する流量を誤って漏洩と判定して遮断するといった課題を生じることはなく、各需要家宅の設備変更や環境要因による配管状態に適した漏洩判定ができ、更に、配管に応じて漏洩判定に要する時間を最適化できるので、必要以上の時間を要せず判定でき使い勝手を向上することができる。
【００１４】
第２の発明は、特に第１の発明において、前記判定値を設定する判定値設定手段を備え、前記判定値設定手段は、前記流量計測手段で計測された流量、及び／又は前記流量変化率演算手段で演算された流量変化率により、前記判定値を設定することを特徴とするもの
で、判定値を配管状態に応じて最適化することができる。
【００１５】
第３の発明は、特に第２の発明において、前記判定値設定手段は、前記復帰手段で遮断が解除された直後の最大流量に応じて前記判定値を設定することを特徴とするものである。
【００１６】
第４の発明は、特に第２の発明において、前記判定値設定手段は、前記復帰手段で遮断が解除された直後の流量変化率に応じて前記判定値を設定することを特徴とするものである。
【００１７】
第５の発明は、特に第２の発明において、前記判定値設定手段は、前記復帰手段で遮断が解除された後、所定時間の流量変化率に応じて前記判定値を設定することを特徴とするものである。
【００１８】
第６の発明は、特に第２の発明において、前記判定値設定手段は、前記異常判定手段が異常判定して遮断手段で遮断した際の流量に応じて前記判定値を設定することを特徴とするものである。
【００１９】
第７の発明は、特に第１〜６の発明において、前記復帰手段で遮断が解除された以降、時間を計時する計時手段を有し、前記漏洩判定手段は、前記計時手段で所定時間が計時されるまでに前記流量変化率演算手段で演算された流量変化率が前記判定値以下とならない場合、異常と判定し前記遮断手段で前記流路を遮断することを特徴とするものである。
【００２０】
以下、本発明の実施の形態について、図面を参照しながら説明する。
なお、この実施の形態によって本発明が限定されるものではない。
【００２１】
（実施の形態１）
図１は本発明の実施の形態のガス遮断装置の制御ブロック図を示すもので、被計測流体であるガスが流れる流路１、流路１を流れるガスの流量を計測する流量計測手段２、流路１を遮断する遮断手段３、流量計測手段２で求めた流量が異常と判定した場合に遮断手段３で流路を遮断する異常判定手段４、遮断手段３による遮断を解除する為の復帰手段５、復帰手段５で遮断が解除された以降、流量計測手段２で計測される流量の変化率を求める流量変化率演算手段６、流量変化率演算手段６で求めた変化率が所定の判定値９以内と判断された後、流量計測手段２で計測された流量が所定流量の場合に漏洩と判定し遮断手段３で流路１を遮断する漏洩判定手段７とで構成されている。
【００２２】
図２は、流量計測手段２の一例を示すもので、以下、図２を参照しながら、超音波を利用した流量計測の原理を説明する。
【００２３】
流量計測手段２は、第１の超音波送受信器２ａ、第２の超音波送受信器２ｂ、制御回路２ｃおよび演算回路２ｄを備えている。
【００２４】
流路１を流れる流体の流速をＶ、流体中の音速をＣ、流体の流れる方向と超音波が下面１ａで反射するまでの超音波伝搬方向とのなす角度をθとする。また、第１の超音波送受信器２ａと第２の超音波送受信器２ｂとの間で伝搬する超音波の伝搬経路の有効長さをＬとする。
【００２５】
制御回路２ｃは、第１の超音波送受信器２ａからの超音波の送信と、第２の超音波送受信器２ｂにおける超音波の受信とを制御する。第１の超音波送受信器２ａから送信された超音波が第２の超音波送受信器２ｂに到達するまでの伝搬時間ｔ１は、下式にて示される
。
【００２６】
ｔ１ ＝ Ｌ ／（Ｃ＋Ｖｃｏｓθ）                          （１）
制御回路２ｃは、第２の超音波送受信器２ｂからの超音波の送信と、第１の超音波送受信器２ａにおける超音波の受信とを制御する。第２の超音波送受信器２ｂから送信された超音波が第１の超音波送受信器２ａに到達するまでの伝搬時間ｔ２は、下式にて示される。
【００２７】
ｔ２ ＝ Ｌ ／（Ｃ−Ｖｃｏｓθ）                          （２）
式（１）と式（２）から流体の音速Ｃを消去すると、下式が得られる。
【００２８】
Ｖ ＝（ Ｌ ／（２ｃｏｓθ））  ×  （（１／ｔ１）−（１／ｔ２））    （３）
式（３）から理解されるように、Ｌとθが既知なら、制御回路２ｃが伝搬時間ｔ１およびｔ２を計測することにより、流速Ｖが求められる。演算回路２ｄが流速Ｖの演算を行う。
【００２９】
更に、演算回路２ｄは、下式に示すように、流速Ｖに流路１の断面積Ｓ及び係数ｋを乗じて流量Ｑを算出する。なお断面積Ｓは既知であり、係数ｋは、検定により求められる補正係数である。
【００３０】
Ｑ  ＝  ｋ  ×  Ｖ  ×  Ｓ                                    （４）
上述の例では、いわゆるＶパス方式の流量計測原理を説明したが、これは一例である。いわゆるＺパス方式、Ｉパス方式と呼ばれる計測原理を用いてもよい。
【００３１】
流量計測手段２が超音波式であることは必須ではない。一部の部分流路を流れる流体の流量を計測できれば、公知の計測器を用いることができる。公知の計測器とは、たとえば流れによる熱の移動を利用して流量を測定するサーマルフローセンサーであってもよい。これらは公知であるためその説明は省略する。
【００３２】
以上の構成により、流量計測手段２は流路１を流れる流体の流量を計測することができ、一定周期、例えば、２秒毎に計測を行う。
【００３３】
異常判定手段４は、流量計測手段２で求めたガスの流量から異常な使用状態かどうかを判定する。例えば、ストーブ等のガス器具へガスを供給するホースが何らかの原因で外れた時に発生する異常な大流量を検出したり、ガス器具の使用時間を監視し、通常使用されると想定される最大使用時間を越えたかどうかを検出したりし、異常な使用状態が発生していないか監視する。
【００３４】
そして、異常判定手段４で異常が検出されると、遮断手段３で流路１を遮断してガスを止めることで安全を確保する。
【００３５】
復帰手段５は、異常判定手段４で異常と検出されて遮断手段３で遮断された流路１の遮断を解除して、再びガスを使用可能とするため復帰指示を行うためのもので、スイッチ等で構成されている。
【００３６】
流量変化率演算手段６は、復帰手段５で遮断が解除された以降、流量計測手段２で前回検出された流量と今回検出された流量から流量の変化率を演算する。
【００３７】
漏洩判定手段７は、流量変化率演算手段６で流量の変化率と判定値９とを比較し、判定値以内と判定した後、流量計測手段２で計測された流量が所定流量以下かどうかを判定し
、所定流量以下でない場合は漏洩が発生していると判断して遮断手段３で再び流路１を遮断する。
【００３８】
報知手段８は、異常判定手段４でガスの使用状態が異常と判定された場合や、漏洩判定手段７で漏洩と判断した場合に、異常の内容を液晶表示素子等（図示せず）に表示すると共にガスの安全監視を行っているセンタに電話回線などで通報する。
【００３９】
次に、図３に示す時間と流量計測手段２で計測される流量のグラフを用いて、本実施の形態における動作を説明する。
【００４０】
図３は、ガス器具の使用中にホースが外れる等の異常でガス器具の通常使用により想定される流量よりも大きく設定された最大判定流量を超えたことを検知してガスを遮断し、その後、復帰操作により遮断が解除され、ガスの抜けた配管がガスで満たされる場合のガスの流量変化を示すグラフであり、実線は遮断後に異常の発生要因を排除した場合、点線は異常に対する対応が不十分で漏洩が発生している場合を示す。
【００４１】
先ず、流量計測手段２で計測された流量で何らかの異常が検出された場合（ここでは、最大判定流量を超えた場合）、先ず、遮断手段３で流路１が遮断される(遮断Ａ)。
【００４２】
その後、遮断要因が解除され、例えば、ガスホース外れならばガスホースを接続し直す等の対応を行い、復帰手段５を操作して遮断手段３による遮断を解除し流路１を開状態にする。
【００４３】
遮断の後、異常の要因を改善する迄配管中のガスが自然と抜ける為に、遮断を解除した直後は遮断手段３の上流側（供給側）と下流側とは圧力差があり圧力が低下した下流側の配管内のガス圧力が供給側の圧力に達するまでガスが流れる。その後、異常の要因が改善されている場合は、流量計測手段２で検出されるガスの流量は実線で示すように徐々に低下し、圧力が均一になると零付近まで低下する。この零付近まで低下する時間は、メータ以降の配管の長さ等の設置環境に依存している。
【００４４】
そこで、本実施の形態では、遮断が解除された後、漏洩判定手段７が、流量変化率演算手段６で検出される流量変化率が判定値以下であるかどうかで、流量変動の安定状態を判断し、流量変化率が所定値以下となり安定していると判断された場合に、流量計測手段２で計測される流量が所定流量以上流れていなければ、異常の要因が排除されて漏洩はないと判断する。
【００４５】
逆に、異常の要因が排除されず漏洩が発生している場合、点線で示すように洩れ流量ｑに漸近するようなガスの流量が検出されることになり、漏洩判定手段７により、流量変化率が判定値以下と判断された場合に、流量計測手段２で計測される流量が所定流量以上流れていることから何らかの要因で漏洩が発生している判断し、再度、遮断手段３で流路１を遮断する（遮断Ｂ）ことになる。
【００４６】
なお、ガスホース外れ等による最大判定流量を超えた遮断の場合に、その異常の要因をなんら改善せずに復帰操作した場合には、遮断の解除と同時に最大判定流量を越えるガスが流れる為に異常判定手段４による異常検知で再度遮断が実行される（遮断Ｃ）ことになる。
【００４７】
次に、図４のフローチャートを用いて、本実施の形態における漏洩判定手段７の処理を説明する。なお、異常判定手段４で異常と判定されたことにより遮断手段３による遮断処理は、別の処理で行われるものとし、ここでは、漏洩判定手段７における処理を中心に説
明する。
【００４８】
先ず、流量計測手段２で流量計測を行い（Ｓ００１）、後述する復帰動作Ｆの有無を判断し、復帰動作中であれば、流量変化率演算処理（Ｓ００８）に分岐し、復帰動作中で無ければ、遮断の有無を判断（Ｓ００３）し、遮断中であれば復帰スイッチの操作の有無を判断（Ｓ００４）し、復帰スイッチの操作があれば処理を抜け、復帰スイッチの操作がある場合は、復帰動作中を示す為の復帰動作Ｆをセットし（Ｓ００５）、復帰動作処理の時間監視を行う監視タイマをスタートし（Ｓ００６）、遮断手段３による遮断の解除を行う（Ｓ００７）。
【００４９】
次に、流量変化率演算手段６は、流量計測手段２で計測された前回の流量値と今回の流量値から流量変化率を演算し（Ｓ００８）、変化率が予め定めた判定値以下か否かを判定し（Ｓ００９）、以下であれば流量が安定したと判断し、今回計測された流量と漏洩を判定するための判定流量とを比較（Ｓ０１１）し、判定流量以下であれば漏洩無しと判断（Ｓ０１２）して、復帰動作を終了し（Ｓ０１３）、判定流量を超えた流量が計測された場合には漏洩が発生していると判断（Ｓ０１４）して再度遮断を行う（Ｓ０１５）。
【００５０】
また、処理Ｓ００９において、流量変化率が予め定めた所定値以下で無ければ、安定していないと判断し、更に、監視タイマで計時される時間が監視時間を越えたかどうかを判断し（Ｓ０１０）、超えていなければ処理を抜け、超えていた場合は、流量が安定しないと判断し、想定できない異常が発生していると判断して再度遮断を行う（Ｓ０１５）。
【００５１】
以上の処理により、正常時、漏洩が検出されない場合には、遮断要因が改善されたと判断し、流路１を開け通常通りガス器具が使用できる状態にすることができる。
【００５２】
このようにしてガス器具使用時の異常を検出して遮断した後、復帰手段５により遮断手段３を復帰以降ガス漏れがないかどうかの判定タイミングを配管に応じて異なる勾配（変化率）を利用することで配管に応じて漏洩判定に要する時間を最適化できるので、必要以上の時間を要せず判定でき使い勝手を向上することができる。
【００５３】
（実施の形態２）
図５は本発明の実施の形態２のガス遮断装置の制御ブロック図を示すもので、実施の形態１と同一符号のものは同一構造、同一機能を有し、説明は省略する。実施の形態１と異なる点は、流量変化率演算手段６で求めた流量変化率と比較する判定値９を決定する判定値設定手段１０を設けた点である。
【００５４】
実施の形態１では、流量変化率の判定値は、予め設定した所定値として説明したが、本実施の形態２では、判定値設定手段１０が、復帰手段５で遮断が解除された直後の最大流量に応じて判定値を決定するものである。
【００５５】
図６は、復帰操作による遮断解除直後の最大流量の違いとそれ以降における洩れの有無による流量変化の一例を示すもので、図に示すように、洩れの有無に関わらず最大流量が大きい程、安定するまでの時間が掛かる為、判定値が同じであれば、遮断解除直後の最大流量が大きいと安定までに時間を要することになり好ましくない。従って、判定値設定手段１０は、早期に漏洩判定を行う為に遮断解除直後の最大流量が大きいほど、判定値を大きな値に設定する。
【００５６】
また、この判定値は、復帰手段５で遮断が解除された直後の流量変化率に応じて決定することでも有効である。
【００５７】
図７は、遮断解除直後の最大流量が同じであるが、流量変化率が異なる場合における漏洩の有無による流量変化の一例を示すもので、図に示すように、漏洩の有無に関わらず遮断解除直後の流量変化率が小さいと安定するまでの時間が掛かる為、判定値が同じであれば、初期勾配が小さいと安定までに時間を要することになり好ましくない。従って、判定値設定手段１０は、遮断解除直後の流量変化率が小さいほど、判定値を大きな値とするように設定する。なお、この場合、遮断解除直後の流量変化率だけでなく、一定時間の勾配の大きさで判定値を決定することも可能である。
【００５８】
また、この判定値は、遮断時の流量の大きさに応じて決定することも可能である。
【００５９】
図８は、遮断理由（遮断時の流量の違い）と遮断復帰後の流量変化の一例を示すもので、遮断までの実線は最大判定流量を超えた場合、点線はガス器具が通常想定される時間を超えて継続使用された場合を示しており、図に示すように、遮断時の流量が大きいほど圧力低下が大きくなる為に、遮断解除直後の最大流量も大きくなる。従って、遮断時の流量が大きいほど、判定値を大きくする方が好ましいことが分かる。
【００６０】
なお、上記の決定方法では、遮断から遮断解除までの時間を考慮していないが、復帰までの時間が掛かるほど配管の圧力は低下するので、復帰までの時間Ｔを考慮し、時間Ｔが長いほど判定値を大きくする補正を行うことも有用である。
【００６１】
以上のように、本発明によると遮断解除後の流量変化率を求め、判定値設定手段１０で配管の状況を考慮して設定された判定値と比較することで早期に漏洩の有無を判定できる。
【００６２】
なお、判定値設定手段１０における判定値の設定は、遮断解除直後の最大流量、流量変化率、遮断時の流量等のそれぞれで設定するように説明したが、遮断解除直後の最大流量、流量変化率、遮断時の流量等を組みあわせて設定することも可能である。
【産業上の利用可能性】
【００６３】
以上のように、本発明にかかるガス遮断装置は、膜式、超音波センサ、熱線式センサ、フルイディックセンサ等を用いて配管内を流れる各種ガス媒体、ＬＰガス、都市ガス、水素ガスの気体計測、又超音波センサ等を用いて水などの液体を計測する水道メータ等の用途に適用できる。
【符号の説明】
【００６４】
１  流路
２  流量計測手段
３  遮断手段
４  異常判定手段
５  復帰手段
６  流量変化率演算手段
７  漏洩判定手段
８  報知手段
９  判定値
１０  判定値設定手段
【図１】
2018205220.tif 000003
【図２】
2018205220.tif 000004
【図３】
2018205220.tif 000005
【図４】
2018205220.tif 000006
【図５】
2018205220.tif 000007
【図６】
2018205220.tif 000008
【図７】
2018205220.tif 000009
【図８】
2018205220.tif 000010